(57)【要約】【課題】  布団を収容して内部のエアーを抜くことで圧縮することが出来る布団圧縮袋の吸気弁の提供。【解決手段】  吸気弁２は上シート３に固定される弁本体１７と該弁本体１７を被覆する弁蓋１８、及び弁本体１７の中央凹部１９にセットされてエアー吸い込み穴２１を開閉することが出来る弁２２から成り、上記弁蓋１８には掃除機のホース先端部が挿入されるシール袋１０を取付けている。【選択図】    図５
2010083505.tif 000002
【特許請求の範囲】
【請求項１】
布団を収容して内部のエアーを抜くことで圧縮することが出来る布団圧縮袋の吸気弁において、該吸気弁は上シートに固定される弁本体と該弁本体を被覆する弁蓋、及び弁本体の中央凹部にセットされてエアー吸い込み穴を開閉することが出来る弁から成り、上記弁蓋には掃除機のホース先端部が挿入されるシール袋を取付けたことを特徴とする布団圧縮袋のシール袋付き吸気弁。
【請求項２】
上記シール袋は上シートと下シートを重ね合わせると共に、周囲を閉じて一部をホースが挿入されるように開口した請求項１記載の布団圧縮袋のシール袋付き吸気弁。
【発明の詳細な説明】
【技術分野】
【０００１】
本発明は布団を収容した状態で圧縮袋内部のエアーを吸引して圧縮するための吸気弁に関するものである。
【背景技術】
【０００２】
布団はその体積が大きく、都会のマンションなどでは押入れなどに収納する際に問題となる。そこで、近年ではビニール袋に布団を収容して空気を吸引するならば、布団は圧縮されてその体積は小さくなり、押入れへの収納も可能と成る。特に、冬用の布団は多くの綿を入れた厚いもので、夏の間の収納には該圧縮袋は便利である。
【０００３】
圧縮袋はその一辺が密閉されると共に開口できる構造とし、中央部には吸込み口が設けられている。該吸込み口に掃除機のホースを当てて吸引するならば、袋内の空気は吸われ、吸引が終わったところで吸込み口が自動的に閉じるように機能する吸気弁が取付けられている。すなわち、吸気弁に内蔵している弁は袋内の負圧によって閉じて外からのエアーが侵入しない構造としている。しかし、現実には僅かなエアー漏れが発生し、長期間経過すると圧縮された布団が膨らんでしまう。
【０００４】
エヤー漏れ防止に関する吸気弁に関する技術は従来から色々知られている。例えば、特開２００４−３３８７８４号に係る「収納袋の排気弁」は、収納袋内と連通する排気孔を設けている弁本体に吸気用孔を設けている蓋体を装着し、この蓋体の上面をドーム形状に形成して該蓋体上に当てがう吸気ノズルを弁本体に対して垂直状態のみならず傾斜させた状態にしてもその吸気口を吸気用孔に連通させた状態にして脱気作用を行わせることが出来、さらに、蓋体の下面と上記排気孔を開閉する弁板の上面とに互いに係脱するカム突起とストッパ片とからなるロック機構を設けて収納袋内の脱気後に弁板を排気孔に圧着させた状態に保持する。
【０００５】
すなわち、収納袋内が脱気されて布団などの収納物が圧縮状態に成ると、蓋体に対する電気掃除機の吸気ノズルの押付けが解かれる。そうすると、収納袋内が真空状態であるから、この収納袋側に発生する吸気力によって弁板が下動して排気口を自動的に閉止し、収納袋内に外気が入ることを阻止する。そしてその後、蓋体を弁板回りに一方向に回動させると、蓋体の下面側に設けているロック機構が作動して弁板が直接下方に押圧され、排気孔を密閉した状態に保持することが出来る。
【０００６】
又、特開２００５−３５５６２号に係る「弁機構」は、吸引装置のノズルの径を意識することなく使用することが出来、外面で積層されたり密閉袋を損傷することがなく、又、積層されたり隣接させた荷姿が平坦で安定した状態とするものである。そこで、孔が形成された密閉袋の外面側に取付けられ、その中央部に通気口が形成された吸引接続部を平坦面とし、密閉袋の内面側に取付けられる弁基材を断面窪状としている。従って、吸引接続部の通気口を覆うようにノズルを当接させるだけでよいからノズル径を意識することなく使用でき、また、密閉袋の外面に突出する部分がなくなるので外面で積層させたり隣接する他の密閉袋を損傷することがない。
【０００７】
このように吸気弁自体の構造に関しては色々あって、エアー漏れを防止した工夫がなされている。しかし、近年の掃除機のホースは先端口が平坦でなく、その為に吸気弁に当てがい難い形状と成っている場合が多く、その為に、圧縮袋内部の空気を吸引して布団の圧縮が出来ない。すなわち、吸気弁の表面に隙間なくホース先端を当てがうことが出来ない。
【特許文献１】特開２００４−３３８７８４号に係る「収納袋の排気弁」
【特許文献２】特開２００５−３５５６２号に係る「弁機構」
【発明の開示】
【発明が解決しようとする課題】
【０００８】
このように、布団圧縮袋に取付けられる吸気弁(排気弁)に関する従来技術は色々知られている。ところが、これら吸気弁を備えた圧縮袋を掃除機のホースにて吸気することがし難く、隙間からエアー漏れが発生する。本発明が解決しようとする課題はこの問題点であり、掃除機のホースが如何様であってもエアーの吸引が出来る圧縮袋のシール袋付き吸気弁を提供する。
【課題を解決するための手段】
【０００９】
本発明の吸気弁が取付けられる布団圧縮袋は、布団を収容するビニール袋で構成されたもので、一辺は開口可能な形態と成っており、閉じた状態ではエアーが漏れないようにシールされる。そして、上記吸気弁は袋のほぼ中央部に取付けられ、該吸気弁にホースの先端を当てがって掃除機で吸込むことが出来る。そして、本発明では吸気弁には薄くて柔軟性のあるシール袋が取付けられている。
【００１０】
ところで、本発明の吸気弁は弁本体と弁蓋、及び弁から成り、弁本体は圧縮袋の上シートに固着され、内部に弁を収容すると共に弁蓋が取付けられる。弁本体に収容される弁はゴムなどで柔軟性のある材質からなり、弁本体の中央に設けた吸込み穴に嵌っている。そして、弁蓋にも穴が形成されて、掃除機のホースを当てがって吸引するならば、弁は浮上して圧縮袋内のエアーを吸い込むことが出来、エアーの吸い込みが停止するならば、弁は圧縮袋内部の負圧によって吸い込み穴に密着して閉じ、エアーの漏れが防止される。
【００１１】
本発明に係る吸気弁は弁本体と弁蓋、及び弁にて構成しているが、これら各部品の具体的な形状は限定しないことにする。そして、該吸気弁に取付けられるシール袋は柔軟性のある概略筒状であるが、その材質は特に限定するものではない。すなわち、掃除機のホース先端部をシール袋に挿入すると共にシール袋をホースに巻き付けて吸引することが出来る。
【発明の効果】
【００１２】
本発明に係る吸気弁はシール袋を取付けている為に、掃除機のホース先端が吸気弁の弁蓋に隙間なく密着しなくてもエアーを吸い込むことが出来る。すなわち、近年の掃除機のホース先端はその形状が色々あって、吸気弁に隙間なく当てがってエアーを吸引し難い場合も多いが、本発明の吸気弁にはシール袋が備わっていることで、該シール袋にホース先端部を差し込むだけでよい。
【００１３】
シール袋にホース先端部を差し込むと共にシール袋を巻き付けた状態で吸引するならば、該シール袋はエアーの吸引に伴ってホースに隙間なく密着する。従って、外からエアーが吸い込まれることはなく、圧縮袋内部のエアーを吸気弁を通して吸い込むことが出来る。すなわち、ホース先端が吸気弁の弁蓋に隙間なく密着する必要はなく、ホース先端形状が如何様であってもエアーの吸い込みが可能と成る。
【実施例】
【００１４】
図１は布団圧縮袋の外観を示す実施例である。同図の１はビニール袋、２は吸気弁を表している。ビニール袋１は長方形の上シート３と下シート４から成り、その３辺５ａ，５ｂ，５ｃは上下シート３，４が密着され、他の辺６は布団を出し入れする為に開口可能と成っている。そして、上記吸気弁２は上シート３のほぼ中央部に取付けられ、該吸気弁２を通してビニール袋内のエアーを吸込むことが出来る。
【００１５】
辺６は開閉可能なようにシール構造を有しており、図１のＡ−Ａ断面拡大図を図２に示している。上シート３には辺６に沿って２本の凹シール７ａ，７ｂが一定間隔をおいて沿設され、又下シート４には辺６に沿って２本の凸シール８ａ，８ｂが一定間隔をおいて沿設されている。凸シール８ａ，８ｂは凹シール７ａ，７ｂの凹溝９ａ，９ｂに嵌合して互いに噛合い、辺６側に設けた開口を閉鎖することが出来、エアーの漏れを防止する。
【００１６】
上記布団圧縮袋としての基本形態は従来のものと共通しているが、本発明の特徴は吸気弁２にある。吸気弁２の基本的な機能は従来と同じであって、掃除機のホースを当てがって吸引するならば、圧縮袋内のエアーは吸い込まれ、吸引が停止すると同時に吸気弁２は閉じるように動作するが、本発明の吸気弁にはシール袋が取付けられている。
【００１７】
図３は本発明に係る吸気弁２を示す実施例である。同図の２は吸気弁、１０はシール袋を表している。該シール袋１０は上辺１１が開口した袋であって、例えばビニールシート等の薄くて柔軟性のある材質で構成している。同図に示すシール袋１０は図４に示しているように、概略逆台形の２枚のシート（上シート１４と下シート１５）を重ね合わせてその底辺１２と両側辺１３，１３を閉じ、上辺１１は開口可能としたシール袋１０を構成している。
【００１８】
そして、下シート１５には穴１６が設けられ、この穴１６に位置合わせして吸気弁２に取付けられ、前記図３のようにシール袋１０を取付けた吸気弁２と成る。具体的には弁蓋１８の内面に接着して取付けられ、該弁蓋１８を弁本体１７に組み合わせることで該弁本体１７とで挟み込むことが出来る。勿論、該シール袋１０の具体的な取付け構造を限定するものではなく、しかもシール袋１０の形状も同図に示す場合に限定するものではない。
【００１９】
ところで、吸気弁１０の構造も色々あり、本発明ではその具体的な構造は限定せず、吸気弁２にシール袋１０が取付けられている点に特徴を有すものであり、以下に吸気弁２の１具体例を説明する。
図５はシール袋付き吸気弁２の断面図を表し、該吸気弁２は概略円盤形を成し、弁本体１７と弁蓋１８の組み合わせで構成され、弁蓋１８は弁本体１７の中央に形成した凹部１９に嵌着している。そして、凹部１９の中央底２０にはエアーの吸い込み穴２１が形成され、このエアー吸い込み穴２１にお椀形弁２２が嵌っている。
【００２０】
そして、本発明の吸気弁２の弁本体１７の下方には複数の脚２３，２３・・が延びている。各脚２３，２３・・間に空間２４，２４・・が形成され、その為にエアーの流れはスムーズと成る。すなわち、掃除機にて布団圧縮袋内のエアーが吸い取られることで布団生地は弁本体１７の底２０に密着するが、各脚２３，２３・・間の空間２４，２４・・をエアーが流れてエアー吸い込み穴２１から吸込まれ、エアーの吸込みが阻害されることがないようにしている。
【００２１】
凹部１９に嵌着した弁蓋１８には穴２５，２５・・が設けられ、エアーはこの穴２５，２５・・を通して吸込まれる。そして、弁蓋１８には弁押え２６が中央下方へ延び、該弁押え２６の先端は概略お椀形弁２２の凹部に嵌って該お椀形弁が大きく浮上しないように押圧することが出来る。
【００２２】
上記弁２２は円盤状のツバ２７とツバ２７の中央に設けている凸部２８から成っている。弁２２の材質は柔軟な樹脂材又はゴム材であり、適当に変形して上記エアー吸い込み穴２１の傾斜内周面２９になじんで隙間なく密着することが出来る。凸部２８の外側面は滑らかに湾曲した凸状曲面にて形成され、エアー吸い込み穴２１の傾斜内周面２９には適度に変形して密着する。
【００２３】
円盤状ツバ２７には複数の穴が貫通して設けられ、エアー吸い込み穴２１に生じた隙間を流れるエアーはこれら穴を通過して掃除機のホースに吸込まれる。勿論、穴だけでなく、エアーはエアー吸い込み穴２１の隙間からツバ２７の外周へ流れてホースに吸込まれる場合もある。
【００２４】
ところで、図５において１４は上シート、１５は下シートを表し、シート袋１０は弁蓋１８に取付けられている。弁蓋１８には円筒状のリブ３０が設けられ、このリブ３０が下シート１５に形成している穴１６に嵌り、弁蓋１８の内面に接着される。従って、弁蓋１８のリブ３０及び弁押え２６がシール袋１０から突出し、上シート１４は弁蓋１８の表面を覆っている。すなわち、弁蓋１８はシート袋１０に収容されて、リブ３０と弁押え２６が穴１６から突出している状態と成っている。
【００２５】
掃除機によってエアーを吸い込む場合、お椀形弁２２の上側の気圧が低く成って弁２２は浮上し、その為にエアー吸い込み穴２１が一部開口する。すなわち、エアーを吸引することで凸部２８が浮上することで、外側面と傾斜内周面２９との間に隙間が形成され、この隙間からエアーが流れて布団圧縮袋内のエアーが抜取られる。
【００２６】
そして、掃除機が停止してエアーの抜取りが停止すると同時に、弁２２の下側の空気圧が低くなると共に上側の空気圧が高くなって、すなわちビニール袋１の内圧がマイナスと成って弁２２の外側面はエアー吸い込み穴２１の傾斜内周面２９に密着する。そこで、エアー漏れを生じることなく、ビニール袋１に収容された布団が膨らむことはない。
【００２７】
弁本体１７はビニール袋１の上シート３に取着され、この弁本体１７にシール袋１０を備えた弁蓋１８が取付けられる。掃除機のホースにてエアーを吸い込む場合、従来では弁蓋１８の表面にホース先端を隙間なく当てがって、穴２５，２５・・から吸い込んでいたが、ホース先端を表面に当てがっても隙間が発生する場合にはエアーを吸い込むことが出来ない。そこで、本発明ではシート袋１０にホース先端部を挿入し、上シート１４及び下シート１５をホース外側面に密着させることで、エアー漏れを生じることなく吸い込むことが出来る。
【００２８】
図６は掃除機のホース３１にて、エアーを吸い込んでいる場合を示している。ホース３１は弁蓋１８に当てがうことなく、シール袋１０に挿入し、シール袋１０の上シート１４及び下シート１５をホース３１に隙間を残さないように巻き付ける。この状態で掃除機を起動するならば、弁蓋１８に形成した穴２５，２５・・からエアーは吸い込まれる。
【図面の簡単な説明】
【００２９】
【図１】布団圧縮袋の外観図。
【図２】図１のＡ−Ａ断面拡大図。
【図３】本発明に係るシール袋を取付けた吸気弁の実施例。
【図４】シール袋の具体例であって、（ａ）は平面図、（ｂ）は底面図。
【図５】シール袋を取付けた吸気弁の断面図。
【図６】シール袋に掃除機のホースを挿入してエアーを吸い込む場合。
【符号の説明】
【００３０】
１  ビニール袋
２  吸気弁
３  上シート
４  下シート
５  辺
６  辺
７  凹シール
８  凸シール
９  凹溝
10  シール袋
11  上辺
12  底辺
13  側辺
14  上シート
15  下シート
16  穴
17  弁本体
18  弁蓋
19  凹部
20  底
21  吸い込み穴
22  弁
23  脚
24  空間
25  穴
26  弁押え
27  ツバ
28  凸部
29  傾斜内周面
30  リブ
31  ホース
【図１】
2010083505.tif 000003
【図２】
2010083505.tif 000004
【図３】
2010083505.tif 000005
【図４】
2010083505.tif 000006
【図５】
2010083505.tif 000007
【図６】
2010083505.tif 000008